【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
第１の光電変換部、第２の光電変換部、及び前記第１の光電変換部及び前記第２の光電変換部に集光するマイクロレンズをそれぞれが含む複数の画素と、前記複数の画素の前記第１の光電変換部からの出力信号を混合して第１の信号を生成する第１の混合部とを有し、前記第１の信号、及び、前記複数の画素のそれぞれから、前記第１の光電変換部からの出力信号及び前記第２の光電変換部からの出力信号に基づく第２の信号を、出力するように構成された撮像部と、
前記第２の信号に基づいて画像を生成する画像処理部と、
前記第１の信号及び前記第２の信号に基づいてデフォーカス量を検出する演算部と
を有することを特徴とする撮像装置。
【請求項２】
前記複数の画素からの前記第２の信号を混合して第３の信号を生成する第２の混合部を更に有し、
前記焦点検出処理部では、前記第１の信号及び前記第３の信号に基づいて焦点検出を行う
ことを特徴とする請求項１記載の撮像装置。
【請求項３】
前記撮像部は、前記第１の信号を出力する第１のモードと、前記第１の光電変換部からの出力信号を他の画素の前記第１の光電変換部からの出力信号と混合せずに出力する第２のモードと、を切り替え可能に構成されている
ことを特徴とする請求項１又は２に記載の撮像装置。
【請求項４】
前記撮像部は、撮影モードに応じて、前記第１のモードと前記第２のモードとを切り替える
ことを特徴とする請求項３記載の撮像装置。
【請求項５】
前記撮像部は、ＡＦ条件に応じて、前記第１のモードと前記第２のモードとを切り替える
ことを特徴とする請求項３記載の撮像装置。
【請求項６】
前記撮像部は、複数の測距点から自動的に測距点を選択して焦点調節を行う際には前記第１のモードに切り替え、所定の測距点に対して焦点調節を行う際には前記第２のモードに切り替える
ことを特徴とする請求項５記載の撮像装置。
【請求項７】
前記撮像部は、デフォーカス量が所定値以上のときに前記第１のモードに切り替え、前記デフォーカス量が前記所定値未満のときに前記第２のモードに切り替える
ことを特徴とする請求項５記載の撮像装置。
【請求項８】
前記撮像部は、前記複数の画素の前記第１の光電変換部からの前記出力信号をデジタル信号に変換した後に混合演算を行うことにより前記第１の信号を生成する
ことを特徴とする請求項１乃至７のいずれか１項に記載の撮像装置。
【請求項９】
前記撮像部は、前記複数の画素の前記第１の光電変換部からの前記出力信号に対して、アナログ信号の混合により水平方向の画素混合を行い、デジタル信号に変換した後の信号に対して垂直方向の画素混合を行うことにより、前記第１の信号を生成する
ことを特徴とする請求項１乃至７のいずれか１項に記載の撮像装置。
【請求項１０】
第１の光電変換部、第２の光電変換部、及び前記第１の光電変換部及び前記第２の光電変換部に集光するマイクロレンズをそれぞれが含む複数の画素と、前記複数の画素の前記第１の光電変換部からの出力信号を混合して第１の信号を生成する混合部とを有する撮像部を含む撮像装置において実施される信号処理方法であって、
前記撮像部から、前記第１の信号を取得するステップと、
前記撮像部の前記複数の画素のそれぞれから、前記第１の光電変換部からの出力信号及び前記第２の光電変換部からの出力信号に基づく第２の信号を取得するステップと、
前記第２の信号に基づいて画像用データを生成するステップと、
前記第１の信号及び前記第２の信号に基づいてＡＦ用データを生成するステップと
を有することを特徴とする信号処理方法。
【請求項１１】
第１の光電変換部、第２の光電変換部、及び前記第１の光電変換部及び前記第２の光電変換部に集光するマイクロレンズをそれぞれが含む複数の画素と、前記複数の画素の前記第１の光電変換部からの出力信号を混合して第１の信号を生成する混合部とを有する撮像装置において実行されるプログラムであって、コンピュータを、
前記撮像装置から前記第１の信号を取得する手段、
前記撮像装置の前記複数の画素のそれぞれから、前記第１の光電変換部からの出力信号及び前記第２の光電変換部からの出力信号に基づく第２の信号を取得する手段、
前記第２の信号に基づいて画像用データを生成する手段、及び
前記第１の信号及び前記第２の信号に基づいてＡＦ用データを生成する手段
として機能させるプログラム。
【請求項１２】
請求項１１に記載のプログラムを記録したコンピュータが読み取り可能な記憶媒体。
【手続補正２】
【補正対象書類名】明細書
【補正対象項目名】０００７
【補正方法】変更
【補正の内容】
【０００７】
本発明の一観点によれば、第１の光電変換部、第２の光電変換部、及び前記第１の光電変換部及び前記第２の光電変換部に集光するマイクロレンズをそれぞれが含む複数の画素と、前記複数の画素の前記第１の光電変換部からの出力信号を混合して第１の信号を生成する第１の混合部とを有し、前記第１の信号、及び、前記複数の画素のそれぞれから、前記第１の光電変換部からの出力信号及び前記第２の光電変換部からの出力信号に基づく第２の信号を、出力するように構成された撮像部と、前記第２の信号に基づいて画像を生成する画像処理部と、前記第１の信号及び前記第２の信号に基づいてデフォーカス量を検出する演算部とを有する撮像装置が提供される。
【手続補正３】
【補正対象書類名】明細書
【補正対象項目名】０００８
【補正方法】変更
【補正の内容】
【０００８】
また、本発明の他の一観点によれば、第１の光電変換部、第２の光電変換部、及び前記第１の光電変換部及び前記第２の光電変換部に集光するマイクロレンズをそれぞれが含む複数の画素と、前記複数の画素の前記第１の光電変換部からの出力信号を混合して第１の信号を生成する混合部とを有する撮像部を含む撮像装置において実施される信号処理方法であって、前記撮像部から、前記第１の信号を取得するステップと、前記撮像部の前記複数の画素のそれぞれから、前記第１の光電変換部からの出力信号及び前記第２の光電変換部からの出力信号に基づく第２の信号を取得するステップと、前記第２の信号に基づいて画像用データを生成するステップと、前記第１の信号及び前記第２の信号に基づいてＡＦ用データを生成するステップとを有する信号処理方法が提供される。
【手続補正４】
【補正対象書類名】明細書
【補正対象項目名】０００９
【補正方法】変更
【補正の内容】
【０００９】
また、本発明の更に他の一観点によれば、第１の光電変換部、第２の光電変換部、及び前記第１の光電変換部及び前記第２の光電変換部に集光するマイクロレンズをそれぞれが含む複数の画素と、前記複数の画素の前記第１の光電変換部からの出力信号を混合して第１の信号を生成する混合部とを有する撮像装置において実行されるプログラムであって、コンピュータを、前記撮像装置から前記第１の信号を取得する手段、前記撮像装置の前記複数の画素のそれぞれから、前記第１の光電変換部からの出力信号及び前記第２の光電変換部からの出力信号に基づく第２の信号を取得する手段、前記第２の信号に基づいて画像用データを生成する手段、及び前記第１の信号及び前記第２の信号に基づいてＡＦ用データを生成する手段として機能させるプログラムが提供される。
【手続補正５】
【補正対象書類名】明細書
【補正対象項目名】００３４
【補正方法】変更
【補正の内容】
【００３４】
撮像領域ＰＡの画素アレイの各列には、列方向に延在して、垂直出力線３１７がそれぞれ配置されている。垂直出力線３１７は、選択トランジスタ４０６のソース、すなわち単位画素３００の出力ノードｖｏｕｔに接続されている。垂直出力線３１７は、同じ列に属する複数の単位画素３００に共通の信号線をなしている。それぞれの垂直出力線３１７には、列共通読み出し回路３０３と、電流源３０４とが接続されている。これにより、電流源３０４と単位画素３００の増幅トランジスタ４０４とによりソースフォロワ回路が構成されており、撮像領域ＰＡの各画素３００から読み出した信号を列共通読み出し回路３０３に出力できるようになっている。図５には、各列の列共通読み出し回路３０３に、ｃｌｍ１〜ｃｌｍｋの符号を付している。列共通読み出し回路３０３は、撮像領域ＰＡの各画素或いはその副画素から出力信号を読み出す読み出し回路部を構成する。
【手続補正６】
【補正対象書類名】明細書
【補正対象項目名】００６９
【補正方法】変更
【補正の内容】
【００６９】
入力データ処理部６０１には、前述の読み出し動作により撮像素子１０６から読み出された信号（像信号Ａ、像信号ＡＢ）が、ＡＦＥ１０７及びＤＦＥ１０８を経由して入力される。入力データ処理部６０１は、まず、入力された信号を、ＡＦ処理用のデータ及び画像処理用のデータとして、画素加算処理部６０３及び画像用像補正部６０２に振り分ける。すなわち、画素加算処理部６０３には、ＡＦ処理用のデータとして、像信号Ａ及び像信号ＡＢが出力される。また、画像用像補正部６０２には、画像処理用のデータとして、像信号ＡＢが出力される。